(57)【要約】      （修正有）【課題】棚板のどの位置に物を置いても棚板が傾かない、コンパクトに折り畳める商品陳列棚を提供する。【解決手段】組み立て式商品陳列棚１０は、ａ）ロの字状に形成された、正面板２１、背面板及び左右の側面板２０、２２から成り、左右側面板が内側に折り曲げ可能である枠部材１１と、ｂ）正面板及び背面板に固定され、枠部材のロの字状の内部全面の大きさを有するとともに、中央の左右方向の棟折り線を挟んで前方及び後方の台形部、および、棟折り線の左右の、前後方向に内折り可能な三角部から成る支持板４０と、ｃ）支持板上に載置される、支持板４０と同形の棚板３０とを備えることを特徴とする。支持板が棚板の全面を支えるため、棚板のどの位置に商品を載置しても棚板は傾かない。棚板を外した後、支持板を棟折り線で折り曲げ、左右の三角部を内折りにし、両側板を内側に折り込んで、棚をコンパクトに折り畳むことができる。【選択図】図１
0003198308.tif 000002
【実用新案登録請求の範囲】
【請求項１】
a) ロの字状に形成された、正面板、背面板及び左右にそれぞれ設けられた側面板から成り、該左右側面板が内側に折り曲げ可能である枠部材と、
b) 前記正面板及び前記背面板に固定され、前記枠部材のロの字状の内部全面の大きさを有するとともに、中央の左右方向の棟折り線を挟んで前方及び後方の台形部、および、該棟折り線の左右の、前後方向に内折り可能な三角部から成る支持板と、
c) 前記支持板上に載置される、該支持板と同形の棚板と
を備えることを特徴とする板材から成る組み立て式商品陳列棚。
【請求項２】
前記棚板は、前端においてのみ前記正面板に固定されていることを特徴とする請求項１に記載の組み立て式商品陳列棚。
【請求項３】
前記支持板と前記棚板を前記枠部材の上下に複数段設け、
最上段よりも下の段の支持板及び棚板に関して、棚板に商品を載置するために、前記正面板に穴が空けられていることを特徴とする請求項１又は２に記載の組み立て式商品陳列棚。
【考案の詳細な説明】
【技術分野】
【０００１】
本考案は、折り畳み可能な紙製又はプラスチックシート製の組み立て式商品陳列棚に関する。
【背景技術】
【０００２】
商品の販売促進のために、商品載置台や広告板などが設けられた紙製の商品陳列棚がしばしば用いられる。このような商品陳列棚は、次々と開発される新商品をその時時に小売店等の店頭で宣伝するために用いられ、必要なときに容易に店頭で組み立てることができるものが望まれる。また、多くの場合、月単位或いは週単位のキャンペーン期間中のみ使用され、常設されるものではないため、運搬や収納に便利なようにコンパクトになることが望ましい。
【０００３】
折り畳み可能な組み立て式紙製商品陳列棚として、例えば特許文献１に記載のものがある。図４は、この商品陳列棚１００の棚板を支える部分を上方から見た図である。この商品陳列棚１００は、商品を載置するための水平に設けた棚板を、2枚のＶ字状に折り曲げた支持板１０１（図４において斜線で示す。）をＸ字状に配置して、下方から支える。このような、Ｘ字状の支持板により水平の棚板を支える商品陳列棚の構成はよく見られるところであるが、これでは複数段の棚板を設けることができないという欠点がある。
【０００４】
特許文献２に記載の商品陳列棚は、板紙をコの字状に折り曲げ、立設して左右側面及び背面とした枠構造の、左右両側面と背面の間に支持板が水平に固定され、その上に棚板が載置されるようになっている。この商品陳列棚では、枠構造の上下に複数の支持板を設けることにより、複数段の棚板を設けることができる。
【０００５】
図５は、特許文献２の商品陳列棚１０５の支持板１０８（斜線で示す。）の部分を上方から見た図である。この商品陳列棚１０５では、さらに、コンパクトに折り畳むことができるように、左右の側面１０６、１０７がそれぞれ縦に2つ折り可能となっており、共に内側に折り込まれるようになっている。そのため、支持板１０８も前後に2つ折り可能とされるとともに、折り込まれてくる両側板１０６、１０７と干渉しないように、両側部に三角形状の切り込みＡが設けられている。
【先行技術文献】
【特許文献】
【０００６】
【特許文献１】特開2006-255283号公報
【特許文献２】実用新案登録第3185716号公報
【考案の概要】
【考案が解決しようとする課題】
【０００７】
折り畳んだ際にコンパクトにするためには、特許文献２に記載の商品陳列棚のように、枠の側面を内側に折り畳むとよいが、そうすると前記の通り、支持板に切り込みを設けなければならないため、棚板は一部、支持板で支えられない箇所が生じる。そのような支えのない部分に商品を載置すると、その部分の棚板が沈んで棚板が傾き、商品が落下してしまうという問題がある。
【０００８】
本考案が解決しようとする課題は、棚板のどの位置に物を置いても棚板が傾くことがなく、コンパクトに折り畳むことができる商品陳列棚を提供することである。
【課題を解決するための手段】
【０００９】
上記課題を解決するために成された本考案に係る板材から成る組み立て式商品陳列棚は、
a) ロの字状に形成された、正面板、背面板及び左右にそれぞれ設けられた側面板から成り、該左右側面板が内側に折り曲げ可能である枠部材と、
b) 前記正面板及び前記背面板に固定され、前記枠部材のロの字状の内部全面の大きさを有するとともに、中央の左右方向の棟折り線を挟んで前方及び後方の台形部、および、該棟折り線の左右の、前後方向に内折り可能な三角部から成る支持板と、
c) 前記支持板上に載置される、該支持板と略同形の棚板と
を備えることを特徴とする。
【００１０】
ここで、「中央の左右方向の棟折り線」とは、支持板の前後方向及び左右方向の略中央に設けられた、左右方向に延びる、該支持板の左右の幅よりも短い折り線を言う。つまり、上記支持板は寄せ棟屋根のような形態となっており、その左右の妻屋根部分である三角部が内折り可能となっている。なお、ここで妻屋根部分（三角部）について内折りとは、棟折り線の折り方向と逆であることを意味する。また、棟折り線自体の折り方向は上方でもよいし下方でも良い。すなわち、支持板は、折り曲げる際は上側に凸の屋根となっても良いし、下側に凸の屋根となっても良い。
【００１１】
本考案に係る組み立て式商品陳列棚は、枠部材をロの字状に形成したとき、支持板がその内部全面の大きさを有するため、その上に棚板を載置したとき、棚板はその全面において支持板で支えられる。その結果、棚板のどの位置に商品を載置しても棚板が傾くことがなく、商品が落下することがない。
また、折り畳む際は、棚板を外した後、支持板を前記のように寄せ棟屋根のように折り曲げ、左右の妻屋根部分である三角部を内折りにすることにより、両側面板を内側に折り込むことができるようになる。従って、商品陳列棚をコンパクトに折り畳むことができる。
【００１２】
前記棚板は、前端においてのみ前記正面板に固定されていることが望ましい。
【００１３】
この構成により、棚板が商品陳列棚と一体となるため、棚板の紛失を防ぐことができる。また、棚を組み立てるときに棚板の表裏や向きを考慮する必要がなくなり、棚の組み立てがより容易となる。
【００１４】
より多くの商品を陳列するため、前記支持板と前記棚板を前記枠部材の上下に複数段設けることができる。この場合、最上段よりも下の段の支持板及び棚板に関しては、棚板に商品を載置するために、前記正面板に穴を空けておく必要がある。
【考案の効果】
【００１５】
本考案に係る組み立て式商品陳列棚によると、棚板のどの位置に物を置いても棚板が傾くことがなく、しかも、コンパクトに折り畳むことができる。
【図面の簡単な説明】
【００１６】
【図１】本考案の一実施例に係る組み立て式商品陳列棚の斜視図(a)、及び該商品陳列棚を折り畳んだときの斜視図(b)。
【図２】同実施例の組み立て式商品陳列棚を構成する各部材の展開図。
【図３】同実施例の組み立て式商品陳列棚を折り畳むときの支持板の状態を示す斜視図。
【図４】従来の商品陳列棚の支持構造の一例を示す平面図。
【図５】従来の商品陳列棚の別の支持構造の例を示す平面図。
【考案を実施するための形態】
【００１７】
本考案の一実施例に係る組み立て式商品陳列棚（以下、単に「商品陳列棚」とも言う。）について、図面を参照しながら説明する。
図１に示すように、本実施例の組み立て式商品陳列棚１０は、ロの字状の枠部材１１に3段の棚を備える。図２は、この商品陳列棚１０を構成する各部材、すなわち、(a)枠部材１１の前面及び左右側面を構成する主枠部材１２、(b)枠部材１１の背面を構成する背面板１３、(c)左側面補強板２５（右側面補強板２６も同じ）、(d)支持板４０、(e)棚板３０、(f)棚板連結片３１、(g)土台補強板３３、(h)パネル５０の展開図である。これらの部材はいずれも両面段ボールから成り、各部材に設けられている糊しろに接着剤又は両面粘着テープなどを付着することによって各部材を適宜組み合わせ、本実施例の商品陳列棚１０を形成する。なお、図２において、各部材の糊しろ、及び、美観や強度を向上させるための折返し部（折返し部は、折り返した後、接着する。）を「*」で示している。糊しろや折返し部は必ずしも図２の位置に限定されることはなく、また折返し部は必須のものではない。
【００１８】
枠部材１１は、主枠部材１２と背面板１３をロの字状に組み立てることにより形成される。主枠部材１２は、高さＨ、幅Ｗの正面部２１と、その左右に配置される、高さＨ、奥行Ｄの側面部２０、２２とから成る。
背面板１３には、各支持板４０が配置される高さの位置に、後述の支持板挿入片４８を挿入するための支持板切込み２９ａ〜２９ｃが形成されている。
主枠部材１２の正面部２１には、図２(a)に示すように、2段目及び3段目の支持板４０が配置される箇所の直上に、高さhの、正面部２１の全幅に亘る窓２７が空けられている。左右の側面部２０、２２には、その中央に内折り線２０ａ、２２ａが形成されている。左右の側面部２０、２２の内側にはそれぞれ側面補強板２５、２６が貼り付けられ補強されるが、載置する商品の重量が大きくない場合は、これらの補強は不要である。
【００１９】
枠部材１１には、上下3段に、図３(d)に示すような、幅Ｗ、奥行Ｄの支持板４０が水平に取り付けられる。各支持板４０は枠部材１１の内部全面を塞ぐ大きさを有しており、前面糊しろ４０ａ及び背面糊しろ４０ｂにより、それぞれ主枠部材１２の正面部２１及び背面板１３に固定されるが、支持板４０の両側辺は主枠部材１２（の左右側面部２０、２２）には固定されず、フリーな状態となっている。なお、各支持板４０の背面糊しろ４０ｂには切り込みにより支持板挿入片４８が形成されており、この支持板挿入片４８を背面板１３の支持体切込み２９ａ〜２９ｃに挿入することによって、各支持板４０の位置（高さ）が決まる。
【００２０】
各支持板４０には、その前後方向及び左右方向の略中央に設けられた、左右方向に延びる長さｗ（ｗ＜Ｗ）の、幅のある折り線（「棟折り線」）４３が形成されており、さらに、この棟折り線４３の両端から支持板４０の4つの頂点にそれぞれ折り線４４ａ〜４４ｄが形成されている。すなわち、支持板４０は、棟折り線４３の前後に形成された、上底を長さｗの棟折り線４３、下底を長さＷの支持板４０の上下辺とする台形部４１、４２と、棟折り線４３の左右にそれぞれ形成された三角部４５、４６とから成り、あたかも寄せ棟屋根のような形態となっている。三角部４５、４６には、棟折り線４３の延長線上に、棟折り線４３の折り方向とは逆方向の中折り線４５ａ、４６ａが形成されている。なお、棟折り線４３の両端、すなわち、棟折り線４３と折り線４４ａ〜４４ｄ及び中折り線４５ａ、４６ａが交差する箇所には、小さな穴４７を設けておくことが望ましい（図２(d）参照）。これにより、各折り線がそれぞれ折り易くなる。
【００２１】
棚板３０は、図２(e)に示すように、枠部材１１のロの字状の内部全面を塞ぐ大きさ（すなわち、支持板４０と同じ、幅Ｗ、奥行Ｄの矩形形状）を有する。棚板３０は、図３(f)に示すような、糊しろ３１ａ、３１ｂを有する棚板連結片３１により、主枠部材１２の正面部２１に固定される。なお、棚板連結片３１は棚板３０と一体としてもよい。
【００２２】
このように、支持板４０は棚板３０と同じ大きさを有するため、棚板３０はその全面において支持板４０で支えられる。そのため、その上のどの位置に商品を載置しても棚板３０が傾くことがなく、商品が落下することがない。
【００２３】
枠部材１１の最も下の段の支持板４０よりも下方の四角筒状の内部には、図２(g)に示すような土台補強板３３が2枚、Ｖ字状に折り曲げられた状態で、且つ、上から見たとき2枚が略Ｘ字状になるように、主枠部材１２の正面部２１と背面板１３に固定されている。これにより、商品陳列棚１０はより対荷重性により優れたものとなるが、重量のある商品を載置するのでない場合は、特に必要はない。
【００２４】
パネル５０は、中央で折り曲げて二重にし、下方に切り込みにより形成されているパネル挿入片５１を背面板１３のパネル切込み２９ｄに挿入することで商品陳列棚１０に取り付けられる。このパネル５０の表面に、この商品陳列棚１０に陳列される商品の広告を記載すると効果的である。なお、パネル５０は、折り曲げて二重にせず、一重（1枚）であってもよい。また、パネル５０は、背面板１３に連設されていてもよい。
【００２５】
本実施例の商品陳列棚１０を折り畳む際は、まず、パネル５０を取り外した後、各棚板３０をそれぞれの支持板４０から持ち上げ、反転させて正面部２１に重ねる（図３(a)）。この時、棟折り線４３の端部の前記穴４７の下方から指又は細い棒を入れることにより、枠部材１１の内面全体を塞いでいる棚板３０を容易に取り外すことができる。
【００２６】
その後、左右の側面部２０、２２を内折り線２０ａ、２２ａで内側に折り曲げるとともに、各支持板４０を、棟折り線４３と折り線４４ａ〜４４ｄで上方に折り曲げる（図３(b)）。すると、支持板４０の三角部４５、４６は中折り線４５ａ、４６ａで下方に折り畳まれる（図３(c)）。このとき、下方の2枚のＶ字状の土台補強板３３もさらに折り畳まれる。こうして、最終的に商品陳列棚１０は、図１(b)に示すように平坦に折り畳まれる。
【００２７】
上記実施例は本考案の一例であり、本考案の趣旨の範囲で適宜に変形や修正、追加が許容される。例えば、上記実施例では枠部材１１をコの字状の主枠部材１２と背面板１３の2つの部材で構成したが、これは1枚の板材をロの字状に折り曲げて構成してもよい。また、上記実施例では各部材に両面段ボールを用いたが、陳列される商品の重量によっては、厚紙やプラスティックなどの板材を用いることができる。さらに、商品陳列棚を折り畳む際に、支持板は、棟折り線と折り線で下方に折り曲げ、中折り線で上方に折り曲げてもよい。
【符号の説明】
【００２８】
１０…組み立て式商品陳列棚
１１…枠部材
１２…主枠部材
１３…背面板
２０、２２…側面部
２０ａ、２２ａ…内折り線
２１…正面部
２５、２６…側面補強板
２７…窓
３０…棚板
３１…棚板連結片
３３…土台補強板
４０…支持板
４１、４２…台形部
４３…棟折り線
４４ａ、４４ｂ、４４ｃ、４４ｄ…折り線
４５、４６…三角部
４５ａ、４６ａ…中折り線
４７…穴
４８…支持板挿入片
５０…パネル
５１…パネル挿入片
【図１】
0003198308.tif 000003
【図２】
0003198308.tif 000004
【図３】
0003198308.tif 000005
【図４】
0003198308.tif 000006
【図５】
0003198308.tif 000007